(57)【要約】【課題】記録媒体に画像を形成する画像形成装置と連結されて用いられ、画像形成装置の排出部から出力される記録媒体を受け入れ可能な複数の受入れセクションを備え、排出部に対応した受入れ位置に位置する受入れセクションが、排出部から出力される記録媒体が属するオーダの切り換え毎に順次入れ替えられる構成を備えた記録媒体の仕分け装置において、オペレータによる照合作業をより単純で容易な内容にすることの可能な記録媒体の仕分け装置を提供する。【解決手段】受入れセクション８１に出力中または出力済みの記録媒体Ｐ′が属するオーダを特定する識別情報を表示する情報表示手段９２を各受入れセクション８１に設けた。【選択図】図３
2007206534.tif 000002
【特許請求の範囲】
【請求項１】
記録媒体に画像を形成する画像形成装置と連結されて用いられ、前記画像形成装置の排出部から出力される記録媒体を受け入れ可能な複数の受入れセクションを備え、前記排出部に対応した受入れ位置に位置する前記受入れセクションが、前記排出部から出力される記録媒体が属するオーダの切り換え毎に順次入れ替えられる構成を備えた記録媒体の仕分け装置であって、
前記受入れセクションに出力中または出力済みの記録媒体が属するオーダを特定する識別情報を表示する情報表示手段が各受入れセクション別に設けられている記録媒体の仕分け装置。
【請求項２】
前記情報表示手段は前記排出部から前記受入れセクションへ記録媒体を出力中であることを表示するための補助情報欄を備えている請求項１に記載の記録媒体の仕分け装置。
【請求項３】
前記補助情報欄には、前記排出部から出力される記録媒体の残り枚数が、前記排出部からの出力に応じて切り換え可能に表示される請求項２に記載の記録媒体の仕分け装置。
【請求項４】
記録媒体を出力中である前記受入れセクションの前記補助情報欄には、オペレータによる取り出しを規制する禁止標識が表示される請求項２または３に記載の記録媒体の仕分け装置。
【請求項５】
前記情報表示手段には前記排出部から前記受入れセクションへの出力が完了したことを表示するための補助情報欄が設けられている請求項１に記載の記録媒体の仕分け装置。
【請求項６】
記録媒体を出力完了した前記受入れセクションの前記補助情報欄には、オペレータによる取り出しを許容する許可標識が表示される請求項５に記載の記録媒体の仕分け装置。
【請求項７】
オペレータによるＯＮ操作に基づいて前記情報表示手段に前記受入れセクションの空きを示す空き情報を書き込む入力手段が各受入れセクションに配置されている請求項１から６のいずれか一項に記載の記録媒体の仕分け装置。
【請求項８】
オペレータによる前記受入れセクションからの記録媒体の取り出し操作を検出する検出手段が各受入れセクションに設けられており、前記検出手段による前記取り出し操作の検出信号に基づいて、前記情報表示手段に前記受入れセクションに記録媒体が不在であることを示す空き情報が書き込まれる請求項１から６のいずれか一項に記載の記録媒体の仕分け装置。
【請求項９】
前記複数の受入れセクションを前記受入れ位置と、オペレータが前記受入れセクションから記録媒体を取り出すための取り出し位置とを含む循環経路に沿って移送する移送機構が設けられており、
前記情報表示手段は、各受入れセクションに設けられた表示媒体と、少なくとも文字を含む情報を前記表示媒体に入力する書き込み装置とを有し、
前記受入れ位置に位置する前記受入れセクションの前記書き込み装置に前記識別情報を付与する情報付与手段が設けられている請求項１から８のいずれか一項に記載の記録媒体の仕分け装置。
【請求項１０】
前記表示媒体は前記書き込み装置によって表示内容を書き換え可能な電子ペーパーからなる請求項９に記載の記録媒体の仕分け装置。
【発明の詳細な説明】
【技術分野】
【０００１】
本発明は、記録媒体に画像を形成する画像形成装置と連結されて用いられ、前記画像形成装置の排出部から出力される記録媒体を受け入れ可能な複数の受入れセクションを備え、前記排出部に対応した受入れ位置に位置する前記受入れセクションが、前記排出部から出力される記録媒体が属するオーダの切り換え毎に順次入れ替えられる構成を備えた記録媒体の仕分け装置に関する。
【背景技術】
【０００２】
この種の仕分け装置としては、本発明に関連する先行技術文献情報として下記に示す特許文献１がある。この特許文献１に記された記録媒体の仕分け装置は、ネガフィルムなどの原版から印画紙に画像を露光処理して写真プリント（記録媒体）を作成する写真処理装置の一部として設けられている。写真処理装置には、露光、現像、乾燥の各工程を経て完成された写真プリントを出力するプリント出力部と、出力された写真プリントを受け取って横向きに搬送する横送りコンベアとがある。そして、その横送りコンベアの排出部に対応した受入れ位置を含む長い循環経路に沿って多数のトレイ（受入れセクション）を移送するトレイコンベア機構が設けられている。各トレイは、一つのオーダに属する写真プリントの全数と、同一のオーダに属するネガフィルムとを共積みした状態で、オペレータの待つ照合ステーションに移送されるように構成されている。各トレイには視認可能なトレイ識別記号が付されており、照合ステーションのオペレータ正面には、各トレイに積載された写真プリントに関する情報（プリントが正常に実施されたかどうかなど）を該当するトレイ識別記号と関連付けて表示するディスプレイが設置されている。
【０００３】
そこで、オペレータは、ディスプレイに表示された情報を参照しつつ、次々に照合ステーションに到着するトレイ（受入れセクション）上に共積みされたネガフィルムと写真プリント（記録媒体）を取り出し、それらとオーダが一致するＤＰ袋に投入することができる。その結果、ネガフィルムと写真プリントとがそのオーダを出した顧客に正しく返却されるシステムとなっている。また、正常にプリントが実施されなかった写真プリントがあった場合も、問題の写真プリントがどのトレイに積載されているかをディスプレイの表示から容易に判断できるので、再プリントなどの必要な対策を即座に講じることができる。
【０００４】
【特許文献１】特開平１１−２１２２４４号公報（段落番号０００５〜０００６、図３、図６）
【発明の開示】
【発明が解決しようとする課題】
【０００５】
しかし、特許文献１に記された記録媒体の仕分け装置では、オペレータが、次々に照合ステーションに到着するトレイ（受入れセクション）上に共積みされた原版（ネガフィルムなど）と写真プリント（記録媒体）とを取り出し、原版については、原版に貼付されたオーダ番号シール（３５ｍｍネガフィルムの場合には余黒と呼ばれるフィルム端部に、ＡＰＳフィルムの場合にはカートリッジの表面などに貼付される）に記されたオーダ番号で確認すれば良いが、写真プリントについては裏返しにして裏印字されたオーダ番号を見ることで、予め照合ステーションに集積しておいた多数のＤＰ袋の一つに貼付されているオーダ番号シールの番号と一致することを確認した上で、ネガフィルムと写真プリントを正しいＤＰ袋に投入するという煩雑な照合作業を行う必要があった。
【０００６】
そこで、本発明の目的は、上に例示した従来技術による記録媒体の仕分け装置が持つ前述した欠点に鑑み、オペレータによる照合作業をより単純で容易な内容にすることの可能な記録媒体の仕分け装置を提供することにある。
【課題を解決するための手段】
【０００７】
本発明の第１の特徴構成は、記録媒体に画像を形成する画像形成装置と連結されて用いられ、前記画像形成装置の排出部から出力される記録媒体を受け入れ可能な複数の受入れセクションを備え、前記排出部に対応した受入れ位置に位置する前記受入れセクションが、前記排出部から出力される記録媒体が属するオーダの切り換え毎に順次入れ替えられる構成を備えた記録媒体の仕分け装置であって、
前記受入れセクションに出力中または出力済みの記録媒体が属するオーダを特定する識別情報を表示する情報表示手段が各受入れセクション別に設けられている点にある。
【０００８】
したがって、本発明の第１の特徴構成による記録媒体の仕分け装置では、画像形成装置の排出部から受入れセクションに出力中または出力済みの記録媒体が属するオーダの識別情報が、その受入れセクションに設けられた情報表示手段によってオペレータに明示される。したがって、オペレータは、その情報表示手段に示された識別情報を頼りに、出力済みの記録媒体の回収先を容易に且つ確実に知ることができる。そして、例えば、その記録媒体がネガフィルムやなどの原版に基づいて作成された写真プリントである場合には、その写真プリントと同一のオーダに属する正しいＤＰ袋（この袋には該当する原版が既に回収されている）に該当する写真プリントを確実に回収し、正しく組み合わされた写真プリントと原版とを顧客に返却することができる。
【０００９】
また、複数の受入れセクションの中から手元に用意しているＤＰ袋のオーダに該当する識別情報を表示した受入れセクションを探し、そこに出力されている写真プリントを取出してＤＰ袋に回収するというストレスの少ない手順で回収作業を行うことができる。これと対照的に、上記従来の構成において手元に用意しているＤＰ袋のオーダに該当する写真プリントを見つける方法を行えば、裏返して裏印字を見た写真プリントが該当オーダでなければ、元の受入れセクションに戻して、別の受入れセクションの写真プリントを取出して裏印字を見る操作を、正しい写真プリントが見付かるまで繰り返す必要があった。
【００１０】
本発明の他の特徴構成は、前記情報表示手段は前記排出部から前記受入れセクションへ記録媒体を出力中であることを表示するための補助情報欄を備えている点にある。
【００１１】
本構成であれば、オーダの最後の記録媒体が未出力であることが受入れセクションに設けられた情報表示手段の補助情報欄への表示によってオペレータに明示されるので、オペレータが受入れセクションへ未だ出力途中の記録媒体を、出力完了したものと勘違いして早まって取り出す虞が少なくなる。
【００１２】
本発明の他の特徴構成は、前記補助情報欄には、前記排出部から出力される記録媒体の残り枚数が、前記排出部からの出力に応じて切り換え可能に表示される点にある。
【００１３】
本構成であれば、オペレータは、補助情報欄に記された残り枚数に基づいて、現在出力中のオーダが出力完了するまでの時間を知ることができるので、必要に応じて、そのオーダの記録媒体を取り出す前に別の作業を行うことが可能となる。
【００１４】
本発明の他の特徴構成は、記録媒体を出力中である前記受入れセクションの前記補助情報欄には、オペレータによる取り出しを規制する禁止標識が表示される点にある。
【００１５】
本構成であれば、オペレータが受入れセクションへ未だ出力途中の記録媒体を、出力完了したものと勘違いして早まって取り出す虞が更に少なくなる。
【００１６】
本発明の他の特徴構成は、前記情報表示手段には前記排出部から前記受入れセクションへの出力が完了したことを表示するための補助情報欄が設けられている点にある。
【００１７】
本構成であれば、オペレータは１オーダの出力が完了したことを補助情報欄によって直ぐに知ることができるので、記録媒体を取出しても良い状態になったと判断して、記録媒体の照合、回収操作を迅速に行うことができる。
【００１８】
本発明の他の特徴構成は、記録媒体を出力完了した前記受入れセクションの前記補助情報欄には、オペレータによる取り出しを許容する許可標識が表示される点にある。
【００１９】
本構成であれば、オペレータは１オーダの出力が完了して、記録媒体を取出しても良い状態になった受入れセクションを補助情報欄に表示された標識によって直ぐに且つ明白に知ることができるので、記録媒体の照合、回収操作をさらに迅速に行うことができる。
【００２０】
本発明の他の特徴構成は、オペレータによるＯＮ操作に基づいて前記情報表示手段に前記受入れセクションの空きを示す空き情報を書き込む入力手段が各受入れセクションに配置されている点にある。
【００２１】
本構成であれば、オペレータはオーダ単位の出力を完了した記録媒体を取出した時、この入力手段をＯＮ操作すると、情報表示手段に受入れセクションの空きを示す空き情報が表示されるので、次に取出し可能な記録媒体が入っているのは何処と何処の受入れセクションかが一目瞭然となり、記録媒体を取出すべき受入れセクションの選択肢が減って、記録媒体の回収作業が容易になる。
【００２２】
本発明の他の特徴構成は、オペレータによる前記受入れセクションからの記録媒体の取り出し操作を検出する検出手段が各受入れセクションに設けられており、前記検出手段による前記取り出し操作の検出信号に基づいて、前記情報表示手段に前記受入れセクションに記録媒体が不在であることを示す空き情報が書き込まれる点にある。
【００２３】
本構成であれば、オーダ単位の出力を完了した記録媒体をオペレータが取出すと、自動的に情報表示手段に受入れセクションの空きを示す空き情報が表示されるので、次に取出し可能な記録媒体が入っているのは何処と何処の受入れセクションかが一目瞭然となり、記録媒体を取出すべき受入れセクションの選択肢が減って、記録媒体の回収作業が容易になる。特に、オペレータはオーダ単位の出力を完了した記録媒体を取出した時、この入力手段を手動でＯＮ操作する必要がないので、ＯＮ操作をし忘れる虞も少なくなり、また、オペレータに課せられる作業負担が少なくなる。
【００２４】
本発明の他の特徴構成は、前記複数の受入れセクションを前記受入れ位置と、オペレータが前記受入れセクションから記録媒体を取り出すための取り出し位置とを含む循環経路に沿って移送する移送機構が設けられており、
前記情報表示手段は、各受入れセクションに設けられた表示媒体と、少なくとも文字を含む情報を前記表示媒体に入力する書き込み装置とを有し、
前記受入れ位置に位置する前記受入れセクションの前記書き込み装置に前記識別情報を付与する情報付与手段が設けられている点にある。
【００２５】
本構成であれば、出力済みの記録媒体を収納した多数の受入れセクションが循環経路に沿って連なった形で同時に移送され、一つのオーダに属する記録媒体が受入れ位置に位置する受入れセクションに対して出力済みとなると、そのオーダを特定する識別情報が表示媒体に書き込まれ、受入れ位置を離れて取出し位置に進入するという形態を実施可能となる。したがって、オペレータは取出し位置に進入した幾つかの受入れセクションのうちの任意のものから、その表示媒体の表示内容を参照しつつ、記録媒体を取出し可能となり、余裕を持って回収作業を実施できる。
【００２６】
本発明の他の特徴構成は、前記表示媒体は前記書き込み装置によって表示内容を書き換え可能な電子ペーパーからなる点にある。
【００２７】
本構成であれば、表示媒体が薄く軽量で且つフレキシブルなものとなるので、表示媒体として液晶型などを用いる場合に比して、受入れセクション上での取付け箇所を自由に選択でき、また、表示媒体に表示する文字のサイズや向きも表示の目的や内容に合わせて自由に設定可能となる。
【発明を実施するための最良の形態】
【００２８】
本発明による最良の実施形態について図面を参照しながら説明する。
〔第１実施形態〕
図１は本発明による記録媒体の仕分け装置を備えた写真プリントシステムの一例を示す外観図である。
この写真プリントシステムは、現像済み写真フィルム２ａ或いはデジタルカメラ用メモリカードなどのデータ入力メディア２ｂから取り込んだ、プリントソースとしての撮影画像コマの撮影画像データをプリントデータに加工するための操作ステーションＣＳと、操作ステーションＣＳから転送されたプリントデータに基づいて、写真プリント素材の一例としての印画紙Ｐ（記録媒体の一例）に対して露光処理と現像処理とを行い、写真プリントＰ′（記録媒体の一例）として出力するプリントステーションＰＳ１とから構成される。
【００２９】
図２に示すように、プリントステーションＰＳ１は、ロール状の印画紙Ｐを収納した２つの印画紙マガジン１１、いずれかの印画紙マガジン１１から印画紙Ｐを引き出してプリントサイズに切断するカッター１２、このように切断された印画紙Ｐの裏面にプリント処理情報などを印字するバックプリント部１３、印画紙Ｐの表面に画像の露光を行うプリント露光部１４、露光後の印画紙Ｐを現像処理する複数の槽からなる現像処理ユニット１５、及び、現像処理ユニット１５から排出された印画紙Ｐを乾燥処理して完成した写真プリントＰ′として出力する乾燥部１６を備えている。尚、バックプリント部１３で印字されるプリント処理情報は、プリント予定の画像が属するオーダを示すオーダ番号（識別情報の一例）、プリントソースのコマ番号、操作ステーションＣＳで付加された色補正条件などを示す補正情報などを含む。
乾燥部１６の排出口１６ａの下方には横送りコンベア１７が設けられ、横送りコンベア１７の下流側には、出力された写真プリントＰ′をそれらが属するオーダ番号（識別情報の一例）毎に仕分ける仕分け装置８０が設けられている。
【００３０】
プリントステーションＰＳ１の内部には、上述した印画紙Ｐに対する各種処理に合わせた搬送速度で印画紙Ｐを搬送するために印画紙搬送機構１８が敷設されている。印画紙搬送機構１８は、印画紙搬送方向に関してプリント露光部１４の前後に配置されたチャッカー式印画紙搬送ユニット１８ａを含む複数の挟持搬送ローラ対から構成されている。
プリント露光部１４は、例えば、副走査方向に搬送される印画紙Ｐに対して、主走査方向に沿って操作ステーションＣＳからのプリントデータに基づいてＲ（赤）、Ｇ（緑）、Ｂ（青）の３原色のレーザ光線の照射を行うライン露光ヘッドで構成することができる。
また、現像処理ユニット１５は、発色現像処理液を貯留する発色現像槽１５ａと、漂白定着処理液を貯留する漂白定着槽１５ｂと、安定処理液を貯留する安定槽１５ｃとを備えている。
【００３１】
図１に示すように、操作ステーションＣＳのデスク状コンソールの上部位置には、写真フィルム２ａの撮影画像コマから撮影画像データを取得するフィルムスキャナ２０が配置されている。また、この写真プリント装置のコントローラ３として機能する汎用パソコン２２には、デジタルカメラ等に装着されるメモリカードやＣＤ−Ｒなどのデータ入力メディア２ｂから撮影画像データを取得するメディアリーダ２１が組み込まれている。この汎用パソコン２２には、さらに、各種情報を表示する機器としてのモニタ２３、各種設定や調整を行う際に用いる操作入力部２４として利用される操作入力デバイス、例えばキーボード２４ａやマウス２４ｂも接続されている。
【００３２】
尚、この写真プリントシステムはＣＰＵを中核部材とするコントローラ３を備え、写真プリントシステムの種々の動作を行うための機能部はハードウエア又はソフトウエア或いはその両方によって構築されている。
図３に示すように、コントローラ３の写真プリント処理に関係する前記機能部は、スキャナ２０やメディアリーダ２１によって読み取られた撮影画像データを取り込んで次の処理のために必要な前処理を行う画像入力部３１、キーボード２４ａやマウス２４ｂなどの操作入力デバイスを通じてのユーザ操作入力に基づいて操作コマンドを生成する操作入力処理部３３、操作入力処理部３３から送られてきた操作コマンドに基づいて所望のプリントデータを生成するために、画像入力部３１からメモリ３２に転送された撮影画像データに対する画像処理を行う画像処理部３４、オーダ番号やプリントサイズやプリント枚数といったオーダ単位のオーダ情報及びこのオーダ情報に基づく写真プリント処理に関する各種情報を管理するプリント管理部３０、各種操作ウインドウや各種情報表示ウインドウなどを含むグラフィック操作画面を作成し、そのようなグラフィック操作画面を通じてのユーザ操作入力から制御コマンドを生成するグラフィックユーザインターフェースを構築するＧＵＩ部３５、及び、画像処理が完了した処理済み撮影画像データに基づいてプリント露光部１４での露光操作に適したプリントデータを生成するプリントデータ生成部３６が含まれる。
【００３３】
画像入力部３１は、プリントソースの元媒体がフィルム２ａの場合、プレスキャンモードと本スキャンモードによってそれぞれ適宜なタイミングで生成された低解像度と高解像度のスキャンデータを別々にメモリ３２に送り込み、それぞれの目的に合わせた前処理を行う。他方、プリントソースの元媒体がメモリカードなどのデータ入力メディア２ｂの場合、取り込んだ撮影画像データにサムネイル画像データ（低解像度データ）が含まれていれば、モニタ２３での一覧表示などの目的で使用するため撮影画像データの本データ（高解像度データ）とは別にメモリ３２に送り込むが、もしサムネイル画像データが含まれていなければ本データから縮小画像を作り出してサムネイル画像データとしてメモリ３２に送り込む。
【００３４】
また、顧客によるセルフサービスで写真プリントを受け付ける写真プリント受付装置２５が画像入力部３１に接続されている場合、この写真プリント受付装置２５から、プリントサイズやプリント枚数を記録しているプリント注文データと、撮影条件などを記録した画像属性データと、撮影画像データとを受け取ると、撮影画像データをメモリ３２に転送し、プリント注文データや画像属性データは、ユニークなＩＤコードとしてのオーダ番号にリンクされてプリント管理部３０に転送される。通常の写真プリント注文の場合には、プリントサイズやプリント枚数などのプリント注文データは、キーボード２４ａなどの操作入力部２４を通じてのオペレータの操作入力によって入力され、同じくオーダ番号にリンクされてプリント管理部３０に与えられる。
【００３５】
プリント管理部３０には、プリントサイズやプリント枚数といったプリント注文データをオーダ単位で管理するプリント注文処理モジュール３０ａ、印画紙搬送機構１８や仕分け装置８０を制御し、プリント注文処理モジュール３０ａで管理されているプリント注文オーダのうちで処理対象となっているオーダ単位で写真プリントＰを管理するオーダ管理モジュール３０ｂ、及び、このオーダ管理モジュール３０ｂで管理されている情報に基づいて、後述する仕分け装置８０に設けられた多数のトレイ８１の中から、処理対象となっているオーダに属する写真プリントＰの仕上がりセットである写真プリントＰ′が載せられているトレイ８１を特定し、その特定されたトレイ８１のリアルタイムの停止位置情報を当該写真プリントＰ′に付随するオーダ情報とともにＧＵＩ部３５に与えるプリント位置情報管理モジュール３０ｃが構築されている。
【００３６】
図４に示すように、プリントステーションＰＳ１の仕分け装置８０は、写真プリントＰ′を積載可能な樹脂製の多数のトレイ８１（受入れセクションの一例）と、これらの多数のトレイ８１を、横送りコンベア１７の下流側（排出部の一例）に位置する受入れ位置Ｄ１と、オペレータがトレイ８１から写真プリントＰ′を取り出すための取出し位置Ｄ２とを含む縦型の無端循環経路９０ａに沿って移送する移送機構９０とを有する。すなわち、この移送機構９０は、プリント位置情報管理モジュール３０ｃから得られるトレイ８１のリアルタイムの停止位置情報に基づいて、受入れ位置Ｄ１に位置するトレイ８１を、横送りコンベア１７から出力される写真プリントＰ′が属するオーダの切り換え毎に順次入れ替える働きを行う。その結果、仕分け装置８０は、出力される写真プリントＰ′を、オーダ毎に仕分けるソータとして働き、共通のオーダに属する写真プリントＰ′は極端に部数が多くない限りは同じトレイ８１に積載される。尚、受入れ位置Ｄ１付近には、横送りコンベア１７によって放出された写真プリントＰ′が受入れ位置Ｄ１に停止中のトレイ８１を飛び越えるのを防止する透明樹脂製のストッパ板８０ａが設けられている。
【００３７】
全てのトレイ８１の側面には、そのトレイ８１に出力中または出力済みの写真プリントＰ′が属するオーダを特定する識別情報を表示可能なアクティブ表示板９１が取り付けられている。図５に示すように、このアクティブ表示板９１は樹脂製の支持体９１ａと、支持体９１ａの表面（オペレータ側）に貼付された複数枚のシート状の表示媒体９２とからなる。各表示媒体９２は、互いに色相の異なる２面を有する帯電インク粒子を含むインク層と、個々の帯電インク粒子の配向状態を電界によって制御するために前記インク層に貼付されたドライバ層（ＴＦＴ等からなる）とを備えた電子ペーパーで構成されている。そして、アクティブ表示板９１の背面側には、前記ドライバ層が形成する電界の状態を電気的に制御することで、文字などの情報を表示媒体９２に入力して表示させ、また、表示内容を適宜更新するための書き込み装置７３がその駆動用電源（バッテリーなど、不図示）と共に配置されている（図４を参照）。
【００３８】
そして、受入れ位置Ｄ１付近には、写真プリントＰ′を積載するために受入れ位置Ｄ１に停止中のトレイ８１の書き込み装置７３に対して、ブルートゥース（登録商標）などの無線方式でデータを送信する送信装置１００（情報付与手段の一例）が設けられている。送信装置１００は、オーダ管理モジュール３０ｂから送られる、前記識別情報を含む下記の表示情報を書き込み装置７３に付与する。尚、無端循環経路９０ａの一部には、受入れ位置Ｄ１に新たなトレイ８１が進入したことを検出するためのセンサ（不図示）が設けられている。
表示媒体９２の右側には、写真プリントＰ′の取り出しによってトレイ８１が空になったとの「空き情報」をメモとして表示媒体９２に表示させたい場合に、オペレータによる意思的なタッチ操作によってＯＮ操作される釦スイッチ９６（入力手段の一例）が設けられている。尚、表示媒体９２と釦スイッチ９６の間には、各トレイ８１に固有の記号や番号を記した紙ラベル９５が貼付されている。
【００３９】
表示媒体９２は１枚の文字用シート９３と２枚の標識用シート９４とからなる。文字用シート９３には黒白表示のインク層が用いられ、その表面は３つの領域に分割されている。すなわち、左端部を占める第１領域９３ａには横送りコンベア１７からトレイ８１に出力中または出力済みの写真プリントＰ′が属するオーダ番号（識別情報）が白地に黒色の数字で表示される。中央の第２領域９３ｂには該当するオーダに属する写真プリントＰ′の総枚数がサイズ別に表示される。さらに右側の第３領域９３ｃは、出力が出力中であるか完了したか等の出力状況を表示し、また、出力中では残り枚数を表示する補助情報欄となっている。
他方、標識用シート９４は、上方に貼付された禁止指示シート９４ａと、その下方に貼付された許可指示シート９４ｂとからなる。禁止指示シート９４ａには赤白表示のインク層が用いられ、許可指示シート９４ｂには青白表示のインク層が用いられている。
【００４０】
写真プリント処理が始まり、受入れ位置Ｄ１に一つのトレイ８１が進入して、出力される写真プリントＰ′を受け入れるために待機すると、その待機中のトレイ８１に対して出力される予定の写真プリントＰ′が属するオーダ番号とサイズ別の総枚数構成が、オーダ管理モジュール３０ｂ及び位置情報管理モジュール３０ｃによって判断され、送信装置１００に送られて、その待機中のトレイ８１の表示媒体９２に表示される。この表示に続いて写真プリントＰ′の出力が開始される。
【００４１】
すなわち、移送機構９０の作用によって或るトレイ８１が受入れ位置Ｄ１に進入した時点で、図５（ａ）に示すように、そのトレイ８１の表示媒体９２の第１領域９３ａには送信装置１００からの更新用データの送信に基づいて、出力予定の写真プリントＰ′が属するオーダ番号が表示され、同時に、第２領域９３ｂには当該オーダに属する写真プリントＰ′の総枚数がサイズ別に表示される。そして、直ぐに写真プリントＰ′の出力すなわちトレイ８１への積載が開始される。また、トレイ８１が受入れ位置Ｄ１に停止中で出力中に際しては、補助情報欄としての第３領域９３ｃには、出力される写真プリントＰ′の残り枚数が例えば「残り１８枚」などと点滅表示され、この枚数値は横送りコンベア１７から新たな写真プリントＰ′がトレイ８１に積載される度に減数表示される。また、出力中の場合、禁止指示シート９４ａにはオペレータによる取り出しを規制するための赤い円盤状の禁止標識が表示され、許可指示シート９４ｂには白い地色のみが表示されている。
【００４２】
次に、受入れ位置Ｄ１に停止中のトレイ８１に対する出力が完了すると、その時点で、図５（ｂ）に示すように、第３領域９３ｃの表示内容は点滅を伴わない「出力完了」に変更される。また、禁止指示シート９４ａは白い地色のみの表示に変更され、代わりに、許可指示シート９４ｂにはオペレータによる取り出しを許容する意味を表した青い円盤状の許可標識が表示される。
そして、停止中のトレイ８１に対する出力が完了し、表示媒体９２の表示内容が上記のように変更されると、そのトレイ８１は受入れ位置Ｄ１を離れて、その下方に隣接する取出し位置Ｄ２に移送させられる。この受入れ位置Ｄ１からの離間の直前に、送信装置１００から当該トレイ８１の書き込み装置７３には、以後、すなわち同じトレイ８１が無端循環経路９０ａを一周して再び受入れ位置Ｄ１に戻って来るまでは、送信装置１００による表示内容の更新を禁止するための信号が送られる。尚、図４に示すように、取出し位置Ｄ２には一度に多数のトレイ８１が配置されている。
【００４３】
オペレータは取出し位置Ｄ２に進入している任意のトレイ８１から写真プリントＰ′をオーダ毎に取り出すことができるが、これらのトレイ８１の表示媒体９２には、そのトレイ８１に積載されている写真プリントＰ′が属するオーダ番号が表示されているので、取出し位置Ｄ２の左手に位置するオペレータの手元に予め集積してあるＤＰ袋の中から、その写真プリントＰ′を投入すべき正しいＤＰ袋を容易に見付けることができる。尚、オペレータの手元に集積してあるＤＰ袋の中には、該当するオーダの元媒体（フィルム２ａまたはデータ入力メディア２ｂ）が予め回収されている。
【００４４】
オペレータは、トレイ８１から写真プリントＰ′を取り出すと同時に、そのトレイ８１の釦スイッチ９６をタッチ操作することで、トレイ８１が空になったとの「空き情報」を表示媒体９２の表示にメモとして加えることができる。すなわち、図５（ｃ）に示すように、釦スイッチ９６がＯＮ操作されると、書き込み装置７３によって、第３領域９３ｃの表示内容が「出力完了」から「取出済み」（空き情報の一例）に変更され、禁止指示シート９４ａと許可指示シート９４ｂの双方が白い地色のみの表示（空き情報の一例）に変更される。また、この時点では、出力済みでオペレータによって既に取り出された写真プリントＰ′が属するオーダ番号とそのオーダに属する写真プリントＰ′のサイズ別の総枚数が第１領域９３ａと第２領域９３ｂに未だ表示されているが、釦スイッチ９６のＯＮ操作に基づいて、これらの文字がそれまでの黒地に白い文字から白地に黒い文字という黒白反転表示（空き情報の一例）に切り換えられる。
【００４５】
したがって、万一、オペレータが或るトレイ８１から写真プリントＰ′を取り出したものの、候補として用意しておいたＤＰ袋とオーダ番号が一致していないことが判明した場合も、その写真プリントＰ′をアクティブ表示板９１に反転表示されたオーダ番号を頼りに一旦元の正しいトレイ８１に戻し、用意してあるＤＰ袋とオーダ番号が一致した別のトレイ８１から正しい写真プリントＰ′を回収し、該当するＤＰ袋が用意された後にあらためて先ほどトレイ８１に手動で戻した写真プリントＰ′を回収し直すことができる。
【００４６】
尚、何らかの原因でプリント露光部１４にて正常にプリントが実施されなかったオーダが発生した場合は、そのオーダに該当するトレイ８１が受入れ位置Ｄ１に進入すると同時に、或いは、出力予定のプリントの異常が判明した時点でオーダ番号を示す文字を点滅表示させ、以後、取出し位置Ｄ２に進入後も点滅表示を継続することで、オペレータに異常の発生を知らせて必要な措置を促す形態が取られている。この場合、サイズ別に記された総枚数を点滅表示することで、どのサイズのプリントに異常があったかを示すようにしても良い。また、異常があった具体的なコマ番号を点滅表示することも可能である。
このように、プリントの異常を該当するトレイ８１に設けられたアクティブ表示板９１によって告知できるので、トレイに積載された写真プリントに関する情報を識別記号と関連付けて表示するためのディスプレイをオペレータ正面などに配置することは必ずしも必要でなくなる。尚、オペレータによる釦スイッチ９６の操作に基づいて上記の点滅は無くなる構成としても良い。
【００４７】
各トレイ８１は、最終的に写真プリントＰ′が取り出されて空になった状態で、また、アクティブ表示板９１にはオーダ番号とサイズ別の総枚数が表示されたままの状態で、無端循環経路９０ａに沿って取出し位置Ｄ２を離れて、仕分け装置８０の筐体内のトレイ戻し経路９０ｃを通過し、再び受入れ位置Ｄ１に進入する。この受入れ位置Ｄ１に再度進入する時点で、送信装置１００からの新たな更新用データの送信に基づいて、そのトレイ８１の表示媒体９２の表示が次に出力予定のオーダに関する内容に書き換えられる。すなわち、次に出力予定のオーダ番号、そのオーダに属する写真プリントＰ′のサイズ別の総枚数、及び、出力される写真プリントＰ′の残り枚数が表示され、禁止指示シート９４ａには赤い円盤状の禁止標識が表示され、許可指示シート９４ｂには白い地色のみが表示される。
【００４８】
〔変形例〕
上記の第１実施形態では、オペレータがアクティブ表示板９１上に設けられた釦スイッチ９６を意思的なタッチ操作によってＯＮ操作することで、「空き情報」を表示媒体９２に表示させる構成を示した。しかし、この構成の代わりに、オペレータによるトレイ８１からの写真プリントＰ′の取り出し操作を検出する検出手段を各トレイ８１に設け、制御装置が、前記検出手段による取り出し操作の検出信号に基づいて、表示媒体９２に対して該当するトレイ８１には既に写真プリントＰ′が不在であることを示す「空き情報」を書き込む、などの形態に変形することが可能である。トレイ８１に設ける検出手段としては、例えば、発光素子と受光素子とからなり、発光素子から受光素子へ向かう光ビームがトレイ８１内に進入するオペレータの手によって必ず遮断されることで取り出し操作を検出するフォトインタラプタ型のセンサ等を設ければ良い。
【００４９】
また、オペレータによる写真プリントＰ′の取り出し操作を経て、空になったトレイ８１が取出し位置Ｄ２を離れる際に、そのトレイ８１の表示媒体９２の書き込み装置７３に対して、表示媒体９２の表示内容を強制的に初期化（ゼロ表示など）するためのデータを発信する第２の発信装置を取出し位置Ｄ２の出口付近などに設けても良い。第２の発信装置は、アクティブ表示板９１上などの釦スイッチ９６、或いは、取り出し操作を検出する検出手段の代わりに設けても良く、或いは、これらの構成と並設しても良い。
【００５０】
上記の第１実施形態では、写真プリントシステムに設けられたコントローラ３が、オーダ管理モジュール３０ｂ及び位置情報管理モジュール３０ｃから送られる信号に基づいて、仕分け装置８０の移送機構９０を駆動制御し、受入れ位置Ｄ１に待機中のトレイ８１の表示媒体９２に表示すべき情報を送信装置１００に送るように記載されている。但し、写真プリントシステムのコントローラ３から送られる信号に基づいて移送機構９０を駆動制御し、受入れ位置Ｄ１に待機中のトレイ８１の表示媒体９２に表示すべき情報を送信装置１００に送るための別のコントローラを仕分け装置８０に設けても良い。
〔第２実施形態〕
ここでは、個々に独立した板状または函状のトレイを備えず、略水平な搬送面を有するベルトコンベアのみで構成され、そのベルトコンベアの搬送面が複数の受入れセクションを構成している仕分け装置１８０に対して本発明を適用した例を記載する。
図６（ａ）に示すプリントステーションＰＳ２に設けられた仕分け装置１８０は、横送りコンベア１１７の下流側に横送りコンベア１１７とは略直交して延設され、略水平なプリント搬送面１８２ａを備えたコンベアベルト１８２と、コンベアベルト１８２を、横送りコンベア１１７の下流側（排出部の一例）に位置する受入れ位置Ｄ１と、オペレータがコンベアベルト１８２上から写真プリントＰ′を取り出すための取出し位置Ｄ２とを含む横型の無端循環経路に沿って移送する移送機構（不図示）とによって構成されている。
【００５１】
コンベアベルト１８２の上面に形成されているプリント搬送面１８２ａは、プリントステーションＰＳ２を構成する筐体状のキャビネット１０の正面側上端に配置されている。そして、プリント搬送面１８２ａは、キャビネット１０の右端付近で横送りコンベア１１７の下流に相当する受入れ位置Ｄ１から、キャビネット１０の中央付近に設定された取出し位置Ｄ２に向かって次第に高くなるように緩やかに傾斜している。また、受入れ位置Ｄ１付近には、横送りコンベア１１７によってコンベアベルト１８２向きに放出された写真プリントＰ′がコンベアベルト１８２を飛び越えるのを防止する透明樹脂製のストッパ板１８０ａが立設されている。
【００５２】
コンベアベルト１８２上のプリント搬送面１８２ａは、コンベアベルト１８２の回転方向に沿って互いに隣接した複数の積載エリア１８３（受入れセクションの一例）に区画されており、プリントステーションＰＳ２による写真プリントＰ′の処理中は、常にいずれか一つの積載エリア１８３が、横送りコンベア１１７の下流の受入れ位置Ｄ１に停止している。このために、前記無端循環経路にはコンベアベルト１８２の特定箇所を検出する検出機構（不図示）が設けられており、この検出機構による検出結果に基づいて、常に積載エリア１８３の停止位置が受入れ位置Ｄ１に一致するように前記移送機構によるコンベアベルト１８２の送り長さを調整している。
【００５３】
プリントステーションＰＳ２によって処理されて、乾燥部１１６の排出口１１６ａから排出された写真プリントＰ′は、横送りコンベア１１７上に載置され、直ちに横送りされて、コンベアベルト１８２の一つの積載エリア１８３上にオーダ単位で集積されていく。すなわち、或るオーダに属する写真プリントＰ′が出力されている間はコンベアベルト１８２が停止しているので、同一オーダの写真プリントＰ′の全数は一つの積載エリア１８３に積載され、次のオーダの写真プリントＰ′が出力される前に、コンベアベルト１８２は所定長さ（積載エリア１８３の単位長さ）だけ回転駆動されて、次の積載エリア１８３が受入れ位置Ｄ１に待機する。
【００５４】
各積載エリア１８３には、図４に示すアクティブ表示板９１と類似の、しかしコンベアベルト１８２の駆動用プーリの外周面に沿う形状に容易に弾性変形可能な薄いアクティブ表示板１９１が貼付されている。このアクティブ表示板１９１は薄い樹脂製の支持体１９１ａと、支持体１９１ａの表面に貼付された電子ペーパーからなる複数枚のシート状の表示媒体１９２が貼付されている。そして、アクティブ表示板１９１の上流側には、電子ペーパーのドライバ層が形成する電界の状態を電気的に制御することで、文字などの情報を表示媒体１９２に入力して表示させ、また、表示内容を適宜更新するための書き込み装置１７３がその駆動用電源（バッテリーなど、不図示）と共に隣接配置されている。
受入れ位置Ｄ１付近には、写真プリントＰ′を積載するために受入れ位置Ｄ１に停止中の積載エリア１８３の書き込み装置１７３に対してデータを送信する送信装置１００（情報付与手段の一例）が設けられている。
また、表示媒体１９２の右側には、各積載エリア１８３に固有の記号や番号を記した紙ラベル１９５が貼付されている。
【００５５】
表示媒体１９２は１枚の文字用シート１９３と２枚の標識用シート１９４とからなる。文字用シート１９３には黒白表示のインク層が用いられ、その表面は３つの領域に分割されている。第１領域１９３ａには横送りコンベア１１７からコンベアベルト１８２に出力中または出力済みの写真プリントＰ′が属するオーダ番号（識別情報）が白地に黒色の数字で表示され、第２領域１９３ｂには該当するオーダに属する写真プリントＰ′の総枚数がサイズ別に表示され、第３領域１９３ｃは出力中であるか、出力が完了したか等の出力状況を表示するための補助情報欄となっている。
【００５６】
標識用シート１９４は、上方に貼付された禁止指示シート１９４ａと、その下方に貼付された許可指示シート１９４ｂとからなる。禁止指示シート１９４ａには赤白表示のインク層が用いられ、許可指示シート１９４ｂには青白表示のインク層が用いられている。
写真プリント処理が始まると、受入れ位置Ｄ１に待機中の積載エリア１８３に対して出力される予定の写真プリントＰ′が属するオーダ番号とサイズ別の総枚数構成が、送信装置１００に送られて、受入れ位置Ｄ１に待機中の積載エリア１８３の表示媒体１９２に表示され、引き続き、写真プリントＰ′の出力が開始される。
【００５７】
すなわち、コンベアベルト１８２の反時計回りの回転によって新たな積載エリア１８３が受入れ位置Ｄ１に進入すると、送信装置１００からの更新用データの送信に基づいて、その積載エリア１８３の表示媒体１９２には、図６（ｂ）に示すように、その積載エリア１８３に出力される予定の写真プリントＰ′が属するオーダ番号が表示され、同時に、そのオーダに属する写真プリントＰ′の総枚数がサイズ別に表示される。そして、直ぐに写真プリントＰ′の出力すなわちコンベアベルト１８２への積載が開始される。
【００５８】
或る積載エリア１８３が受入れ位置Ｄ１に停止中で出力中に際しては、補助情報欄としての第３領域１９３ｃには、出力される写真プリントＰ′の残り枚数が「残り５枚」などと点滅表示され、この枚数値は横送りコンベア１１７から新たな写真プリントＰ′が積載エリア１８３に積載される度に減数表示される。また、出力中の場合、禁止指示シート１９４ａにはオペレータによる取り出しを規制するための赤い円盤状の禁止標識が表示され、許可指示シート１９４ｂには白い地色のみが表示されている。
次に、或る積載エリア１８３に対する出力が完了すると、その時点で、第３領域１９３ｃの表示内容は「出力完了」に変更され、禁止指示シート１９４ａは白い地色のみの表示に変更され、許可指示シート１９４ｂはオペレータによる取り出しを許容する意味を表した青い円盤状の許可標識が表示される。
【００５９】
また、或る積載エリア１８３に対する出力が完了すると、その積載エリア１８３は受入れ位置Ｄ１を離れて、その下方に隣接する取出し位置Ｄ２に移送させられ、代わりに仕分け装置１８０の右端側から現れた新たな積載エリア１８３が受入れ位置Ｄ１で待機する。この受入れ位置Ｄ１から取出し位置Ｄ２への移動の直前に、送信装置１００から積載エリア１８３の書き込み装置１７３には、以後、すなわち同じ積載エリア１８３がコンベアベルト１８２の循環経路を一周して再び受入れ位置Ｄ１に戻って来るまでは、送信装置１００による表示内容の更新を禁止するための信号が送られる。
【００６０】
オペレータは取出し位置Ｄ２に進入した積載エリア１８３から写真プリントＰ′を取り出すが、この積載エリア１８３の表示媒体１９２には、その積載エリア１８３に出力された写真プリントＰ′が属するオーダ番号が表示されているので、オペレータの手元に予め集積してあるＤＰ袋の中からその写真プリントＰ′を投入すべき正しいＤＰ袋を容易に見付けることができる。
【００６１】
〔第３実施形態〕
図７に示す仕分け装置２８０は、プリントステーションＰＳ３の横送りコンベア２１７の下流に相当する受入れ位置Ｄ１と、受入れ位置Ｄ１から退避した取出し位置Ｄ２との間で、モータ（不図示）などの駆動源によって鉛直軸芯周りで位置変更可能な２つの揺動トレイ２８１（受入れセクションの一例）によって構成されている。
揺動トレイ２８１は、横送りコンベア２１７の右側に位置する鉛直軸芯Ｘ１を備えた右揺動トレイ２８１Ｒと、横送りコンベア２１７の左側に位置する鉛直軸芯Ｘ２を備えた左揺動トレイ２８１Ｌとからなる。そして、プリントステーションＰＳ３による写真プリントＰ′の処理中は、常にいずれかの揺動トレイ２８１Ｒ，２８１Ｌが受入れ位置Ｄ１に停止させられている。
【００６２】
もしも写真プリントＰ′の処理開始時に、図７に示すように、右揺動トレイ２８１Ｒが受入れ位置Ｄ１に停止中であれば、プリントステーションＰＳ３によって処理されて、乾燥部２１６の排出口２１６ａから排出された写真プリントＰ′は、横送りコンベア２１７上に載置され、直ぐに横送りコンベア２１７の揺動駆動によって、受入れ位置Ｄ１に停止中の右揺動トレイ２８１Ｒ上にオーダ単位で集積される。そのオーダの写真プリントＰ′が出力完了すると、右揺動トレイ２８１Ｒは右側の取出し位置Ｄ２に揺動駆動され、代わりに左揺動トレイ２８１Ｌが揺動駆動されて受入れ位置Ｄ１に進入し、次のオーダの写真プリントＰ′のために待機する。
【００６３】
右揺動トレイ２８１Ｒと左揺動トレイ２８１Ｌには、図４及び図６に示すアクティブ表示板９１，１９１と同様な役割を持つアクティブ表示板２９１が貼付されている。図８に示すように、このアクティブ表示板２９１は、樹脂製の支持体２９１ａと、支持体２９１ａの表面に貼付された電子ペーパーからなる複数枚のシート状の表示媒体２９２とからなる。そして、アクティブ表示板２９１の裏面には、電子ペーパーのドライバ層が形成する電界の状態を電気的に制御することで、文字などの情報を表示媒体２９２に入力して表示させ、また、表示内容を適宜更新するための書き込み装置２７３がその駆動用電源（バッテリーなど、不図示）と共に配置されている。
そして、受入れ位置Ｄ１付近には、写真プリントＰ′を積載するために受入れ位置Ｄ１に停止中の揺動トレイ２８１の書き込み装置２７３に対して無線でデータを送信する送信装置１００（情報付与手段の一例）が設けられている。
表示媒体２９２は１枚のＬ字形状の文字用シート２９３と、１枚の矩形の標識用シート２９４とからなる。文字用シート２９３には黒白表示のインク層が用いられており、標識用シート１９４には赤白表示のインク層が用いられている。
【００６４】
プリントステーションＰＳ３から出力されるオーダの切り換えに同期して、例えば図７に例示するように、右揺動トレイ２８１Ｒが受入れ位置Ｄ１に待機した状態になると、送信装置１００からの更新用データの送信に基づいて、図８（ａ）に示すように、その右揺動トレイ２８１Ｒの表示媒体２９２の文字用シート２９３の手前側半分のエリアには、出力予定の写真プリントＰ′が属するオーダ番号（識別情報）が表示され、同時に、奥側の右半分には、そのオーダに属する写真プリントＰ′の総枚数が「残り５枚」などと点滅表示される。そして、直ぐに写真プリントＰ′の出力すなわち右揺動トレイ２８１Ｒへの積載が開始される。
写真プリントＰ′の出力が開始されると、「残り×枚」表示の枚数値は横送りコンベア２１７から新たな写真プリントＰ′が右揺動トレイ２８１Ｒに積載される度に点滅モードのまま次々に減数表示される。出力中のオーダ番号はそのまま保持される。また、出力中に際しては、オペレータによる取り出しを規制するための赤い円盤状の禁止標識が標識用シート２９４に表示されている。
【００６５】
次に、或るオーダに属する写真プリントＰ′の出力が完了すると、図８（ｂ）に示すように、標識用シート２９４の表示内容は、オペレータによる取り出しを許容する意味を表す白い地色のみの表示に変更される。また、文字用シート２９３の表示内容からは「残り×枚」表示が削除され、出力完了した写真プリントＰ′が属するオーダ番号の他には、該当するオーダに属する写真プリントＰ′の総枚数がサイズ別に白地に黒色の数字で表示される。
また、この文字用シート２９３の表示内容の切り換えに際しては、オーダ番号が右半分のエリアに、写真プリントＰ′の総枚数が左側エリアの手前側半分に、いずれも揺動トレイ２８１の左側方から読み取り易い文字の向きで記される。
【００６６】
このように表示媒体２９２の表示内容が切り換えられると、直ぐに右揺動トレイ２８１Ｒは反時計回りに９０°揺動駆動されて、取出し位置Ｄ２に移動し、代わりに左揺動トレイ２８１Ｌが揺動駆動されて受入れ位置Ｄ１に進入し、次のオーダが出力されるのを待機した状態になる。このように、表示媒体２９２の表示内容が切り換えられると間も無く右揺動トレイ２８１Ｒは反時計回りに９０°揺動駆動されるので、上記の左側方から読み取り易い文字の向きによる表示が、正面のオペレータから読み取り易い文字の向きとなる。
尚、右揺動トレイ２８１Ｒの受入れ位置Ｄ１からの離間の直前に、送信装置１００から右揺動トレイ２８１Ｒの書き込み装置２７３には、以後、すなわち同じ右揺動トレイ２８１Ｒが再び受入れ位置Ｄ１に移動されるまでは、送信装置１００による表示内容の更新を禁止するための信号が送られる。
【００６７】
オペレータはプリントステーションＰＳ３に向かって手前側の取出し位置Ｄ２に移動した揺動トレイ２８１から写真プリントＰ′を取り出すが、この揺動トレイ２８１の表示媒体２９２には、その揺動トレイ２８１に出力された写真プリントＰ′が属するオーダ番号が表示されているので、オペレータの手元に予め集積してあるＤＰ袋の中からその写真プリントＰ′を投入すべき正しいＤＰ袋を容易に見付けることができる。但し、オペレータは、揺動トレイ２８１が未だ受入れ位置Ｄ１に停止している間でも、標識用シート２９４の表示が取り出しを許可する白い地色のみの表示になっていれば、写真プリントＰ′を取り出しても良い。
【図面の簡単な説明】
【００６８】
【図１】本発明による記録媒体の仕分け装置を備えた写真プリントシステムの外観図
【図２】写真プリントシステムが有するプリントステーションを示す模式図
【図３】写真プリントシステムのコントローラ内に構築された機能要素を説明するブロック図
【図４】図２のプリントステーションが有する記録媒体の仕分け装置の外観図
【図５】図４の仕分け装置に設けられたアクティブ表示板を示す説明図
【図６】第２実施形態による仕分け装置とアクティブ表示板の外観図
【図７】第３実施形態による仕分け装置の外観図
【図８】図７の仕分け装置に設けられたアクティブ表示板を示す説明図
【符号の説明】
【００６９】
ＣＳ  操作ステーション
ＰＳ１  プリントステーション
Ｄ１  受入れ位置
Ｄ２  取出し位置
Ｐ  印画紙（記録媒体）
Ｐ′  写真プリント（記録媒体）
２ａ  フィルム
２ｂ  データ入力メディア
３  コントローラ
１４  プリント露光部
１５  現像処理ユニット
１６  乾燥部
１６ａ  排出口
１７  横送りコンベア
２０  フィルムスキャナ
２１  メディアリーダ
２２  汎用パソコン
２３  モニタ
３０  プリント管理部
３０ａ  プリント注文処理モジュール
３０ｂ  オーダ管理モジュール
３０ｃ  プリント位置情報管理モジュール
３１  画像入力部
３２  メモリ
３３  操作入力処理部
３４  画像処理部
３５  ＧＵＩ部
３６  プリントデータ生成部
７３  書き込み装置
８０  仕分け装置
８１  トレイ（受入れセクション）
９０  移送機構
９１  アクティブ表示板
９１ａ  支持体
９２  表示媒体
９３  文字用シート
９３ａ  第１領域
９３ｂ  第２領域
９３ｃ  第３領域（補助情報欄）
９４  標識用シート
９６  釦スイッチ（入力手段）
１００  送信装置（情報付与手段）
【図１】
2007206534.tif 000003
【図２】
2007206534.tif 000004
【図３】
2007206534.tif 000005
【図４】
2007206534.tif 000006
【図５】
2007206534.tif 000007
【図６】
2007206534.tif 000008
【図７】
2007206534.tif 000009
【図８】
2007206534.tif 000010